【手続補正書】
【提出日】平成22年10月22日(2010.10.22)
【手続補正１】
【補正対象書類名】特許請求の範囲
【補正対象項目名】全文
【補正方法】変更
【補正の内容】
【特許請求の範囲】
【請求項１】
スノーボードの表面に固定される底板（２）を有するスノーボード用ビンディングであって、
前記底板には、第１に、締結位置（Ｓ）と解放位置（Ｌ）との間で調節可能とされ、前記スノーボード用ビンディング（１）に収容されるブーツの上側を一部包囲可能な甲要素（６）が固定または連結されるとともに、第２に、後部の挿入位置（Ｅ）と前部の滑走位置（Ｆ）との間で回転可能なレッグサポート（５）が回転可能に連結され、
前記挿入位置（Ｅ）への前記レッグサポート（５）の回転運動と、前記締結位置（Ｓ）から前記解放位置（Ｌ）への前記甲要素（６）の調節運動とを少なくともある範囲で連動させる調整手段（１２，１０９）を備えたビンディングにおいて、
前記調整手段（１２，１０９）は、前記レッグサポート（５）の前記挿入位置（Ｅ）への後方回転の間に引き起こされる前記甲要素（６）の調節運動が、前記レッグサポート（５）を前記滑走位置（Ｆ）へ前方回転させる時に引き起こされる前記甲要素（６）の調節運動よりも大きくなるように設けられることを特徴とするビンディング。
【請求項２】
請求項１に記載のビンディングにおいて、
前記調整手段（１２，１０９）は、前記レッグサポート（５）を前記挿入位置（Ｅ）へ後方回転させる時のみ、前記甲要素（６）の調節運動と連動させ、前記レッグサポート（５）の前記滑走位置（Ｆ）への前方回転は、前記甲要素（６）の調節運動と連動させないように設けられることを特徴とするビンディング。
【請求項３】
請求項１または２に記載のビンディングにおいて、
前記甲要素（６）の調節運動は、回転運動およびまたは開放運動を含むことを特徴とするビンディング。
【請求項４】
請求項１〜３のいずれか１項に記載のビンディングにおいて、
前記甲要素（６）は、前記レッグサポート（５）を前記挿入位置（Ｅ）へ後方回転させるときに前記甲要素（６）の開放または拡張を引き起こす、前記調整手段（１２）により操られる少なくとも１つのバックル（１１）を備えることを特徴とするビンディング。
【請求項５】
請求項４に記載のビンディングにおいて、
前記調整手段（１２）は、前記レッグサポート（５）に回転が結合された少なくとも１つの駆動カム（１８）を備え、前記駆動カム（１８）は、前記甲要素（６）の前記バックル（１１）に属する移動要素とともに少なくともある範囲で直接的または間接的に動作することを特徴とするビンディング。
【請求項６】
請求項５に記載のビンディングにおいて、
前記甲要素（６）は、前記底板（２）に好ましくは回転可能に連結されたバックルベース（１３）を有するバックル（１１）と、バックルベースに取り付けられた回転可能な締結レバー（１４）と、ならびに前記締結レバー（１４）に直接的にまたはピニオン（１７）を介して連結されたストラップ（９）とを備え、スライド可能な調整スライダ（１６）は、前記バックルベース（１３）に案内され、その調整スライダとともに前記駆動カム（１８）が動作することを特徴とするビンディング。
【請求項７】
請求項６に記載のビンディングにおいて、
前記駆動カム（１８）に向けて前記調整スライダ（１６）にばね荷重を負荷する、少なくとも１つのばね要素（２１，２８）が設けられることを特徴とするビンディング。
【請求項８】
請求項６または７に記載のビンディングにおいて、
前記調整スライダ（１６）は、前記バックル（１１）が前記調整スライダ（１６）の保持位置（Ｈ）に閉じられるときに、前記締結レバー（１４）のラグ（２０）または端部を嵌合して受け入れて前記締結レバー（１４）を閉鎖位置（Ｖ）に保持する保持ラグ（１９）を少なくとも有し、解放位置（Ｒ）への前記調整スライダ（１６）のスライドにより前記嵌合受け入れから解放されることを特徴とするビンディング。
【請求項９】
請求項８に記載のビンディングにおいて、
前記調整スライダ（１６）は、後方の前記導入位置（Ｅ）への前記レッグサポート（５）の回転の間、前記駆動カム（１８）により前記解放位置（Ｒ）へ移動可能とされることを特徴とするビンディング。
【請求項１０】
請求項８または９に記載のビンディングにおいて、
前記調整スライダ（１６）は、特に少なくとも１つの導出斜面（２２）およびまたは導出曲面を有する嵌合導出手段であって、前記調整スライダの保持位置（Ｈ）から解放位置（Ｒ）への移動に伴い、前記甲要素（６）の前記ストラップ（９）をその締結位置（Ｓ）の外側に導き、およびまたは前記締結レバー（１４）をその閉鎖位置（Ｖ）の外側に導く嵌合導出手段を有することを特徴とするビンディング。
【請求項１１】
請求項６〜１０のいずれか１項に記載のビンディングにおいて、
前記バックル（１１）の前記締結レバー（１４）は、ばね要素により開放位置（Ｏ）に向けてばね荷重が負荷されることを特徴とするビンディング。
【請求項１２】
請求項８〜１１のいずれか１項を請求項７と組み合わせたビンディングにおいて、
前記調整スライダ（１６）は、特に少なくとも１つの衝突斜面（２３）およびまたは衝突曲面を有する嵌合衝突手段であって、前記バックル（１１）を前記締結レバー（１４）の一部で閉鎖するときに、前記調整スライダ（１６）が少なくとも前記ばね要素（２１，２８）に抗して開放位置（Ｒ）へ向け上方へスライドされるように合わせて動作する嵌合衝突手段を有し、前記バックル（１１）を閉鎖し続けている間、前記調整スライダ（１６）は、前記保持位置（Ｈ）に戻り、前記締結レバー（１４）をその閉鎖位置（Ｖ）に保持することを特徴とするビンディング。
【請求項１３】
請求項１〜１２のいずれか１項に記載のビンディングにおいて、
前記甲要素（６）の回転軸（７）は、前記レッグサポート（５）の回転軸（７）と同軸であることを特徴とするビンディング。
【請求項１４】
請求項１３に記載のビンディングにおいて、
前記甲要素（６）および前記レッグサポート（５）の共有される回転軸（７）は、前記底板（２）に、特に前記底板（２）の長手方向に沿う前記底板（２）の両側に上方に突出する２つの側壁（４）に、調節可能に配置されることを特徴とするビンディング。
【請求項１５】
請求項１〜１４のいずれか１項に記載のビンディングにおいて、
前記調整手段は、少なくとも１つのレバー、およびまたは少なくとも１つの押し込み手段、およびまたは少なくとも１つの引張手段を備え、さらに少なくとも１つのケーブルプルを備えることを特徴とするビンディング。
【請求項１６】
請求項１〜１５のいずれか１項に記載のビンディングにおいて、
前記調整手段は、少なくとも１つのギア、とくに１つのピニオンギアを備えることを特徴とするビンディング。
【請求項１７】
請求項１〜１６のいずれか１項に記載のビンディングにおいて、
前記調整手段（１２，１０９）は、前記甲要素（６）または前記レッグサポート（５）の一方に回転が結合された少なくとも１つの駆動カム（１１０）を備え、
前記駆動カム（１１０）は、前記レッグサポート（５）の回転が少なくともある範囲で前記甲要素（６）の回転と連動するように、前記レッグサポート（５）または前記甲要素（６）の他方にトルクに耐える態様で連結された調整曲面（１１２）と合わせて動作することを特徴とするビンディング。
【請求項１８】
請求項１７に記載のビンディングにおいて、
前記調整曲面（１１２）は、前記駆動カム（１１０）を包囲する調整リング（１１１）であって、前記レッグサポート（５）または前記甲要素（６）の他方に形成された窪みに、トルクに耐える態様で挿入された調整リング（１１１）内に設けられることを特徴とするビンディング。
【請求項１９】
請求項１７または１８に記載のビンディングにおいて、
前記調整曲面（１１２）は、２つの停止部（１１７ａ，１１７ｂ）により制限される自由移動領域（１１６）を備え、前記駆動カム（１１０）は、前記２つの停止部（１１７ａ，１１７ｂ）の間の前記自由移動領域（１１６）にわたって、自由に回転可能とされることを特徴とするビンディング。
【請求項２０】
請求項１９に記載のビンディングにおいて、
前記調整曲面（１１２）は、前記停止部（１１７ｂ）の近傍で、およびまたは前記自由移動領域（１１６）に隣接した移送領域（１１８）で、弾性変形可能とされることを特徴とするビンディング。
【請求項２１】
請求項２０を請求項１８と組み合わせたビンディングにおいて、
前記調整リング（１１１）は、少なくとも前記移送領域（１１８）において弾性材からなり、半径方向の自由領域（１２０）は、前記調整リング（１１１）と前記窪みをなす壁面（１１９）との間の前記移送領域（１１８）の少なくともある範囲で、変形させられることを特徴とするビンディング。
【請求項２２】
請求項１７〜２１のいずれか１項に記載のビンディングにおいて、
前記駆動カム（１１０）は、トルクに耐える態様で前記レッグサポート（５）に結合され、前記調整曲面（１１２）は、トルクに耐える態様で前記甲要素（６）に結合されていることを特徴とするビンディング。
【請求項２３】
請求項４〜１２のいずれか１項をとくに請求項１３〜２２のいずれか１項と組み合わせたビンディングにおいて、
前記バックル（１１）は、前記甲要素（６）がお互いから離れた２つの部分的な要素に分離可能とされて前記バックル（１１）から取り外される領域を有する前記底板（２）に固定または連結されるように、少なくとも中間位置で取り外し可能とされることを特徴とするビンディング。
【請求項２４】
請求項１〜２３のいずれか１項に記載の２つのビンディング（１）を備えることを特徴とするスノーボード。